(57)【要約】【課題】結露水を排水する樋部を得た上で、気密性を保持するパッキング部材および樋部の着脱を容易に行う。【解決手段】商品収容庫４の底部の前縁４０に沿いつつ傾斜した樋部９２２を有する固定部材９２と、商品収容庫４の底部の前縁４０に沿って配置してあって断熱扉に当接して気密性を保持するパッキング部材９１とを１つに係合した化粧枠９を備える。すなわち断熱構造を有する商品収容庫４の内外の温度差によって発生する結露水を傾斜によって流して排水する樋部９２２を得ることができる。しかも化粧枠９は、固定部材９２およびパッキング部材９１を１つに係合した後、前縁４０に形成したフック部４４１に対して係止して取り付けられる。このため化粧枠９を商品収容庫４に対して止める固定手段を少なくでき、化粧枠９を前縁４０に対して容易に取り付け、かつ、容易に取り外せる。この結果、商品収容庫４内の構成部品のメンテナンス作業を容易に行える。【選択図】        図１２
2007034832.tif 000002
【特許請求の範囲】
【請求項１】
断熱構造を有して前面に開口した商品収容庫と、当該商品収容庫の前面開口を開閉可能に設けた断熱扉と、前記商品収容庫の底部前縁に沿って設けてあって前記断熱扉と対峙する化粧枠とを有し、前記商品収容庫内に商品を収容するようにした自動販売機において、
前記化粧枠は、前記商品収容庫の内外の温度差により発生した結露水を導く態様で前記商品収容庫の底部前縁に沿いつつ下向きに傾斜した樋部を有する固定部材と、前記商品収容庫の底部前縁に沿って配置してあって前記断熱扉に当接して気密性を保持する弾性部を有したパッキング部材とを１つに係合してなり、
前記固定部材および前記パッキング部材を１つに係合した化粧枠を、前記商品収容庫の底部前縁に形成したフック部に対して係止して取り付けることを特徴とする自動販売機。
【請求項２】
前記化粧枠は、前記固定部材に折り曲げ可能な係合片を設け、前記パッキング部材に前記係合片を挿通する挿通孔を設けて、前記係合片を前記挿通孔に挿通しつつ折り曲げることで前記固定部材および前記パッキング部材を１つに係合することを特徴とする請求項１に記載の自動販売機。
【請求項３】
断熱構造を有した商品収容庫内に商品を収容するようにした自動販売機において、
前記商品収容庫の底部に配策した電気ケーブルを覆うカバー部材を設けたことを特徴とする自動販売機。
【発明の詳細な説明】
【技術分野】
【０００１】
本発明は、断熱構造を有した商品収容庫内に商品を収容し、当該商品収容庫内を冷却または加温して商品を冷蔵または温蔵する自動販売機に関するものである。
【背景技術】
【０００２】
缶入り飲料やビン入り飲料、あるいはペットボトル入り飲料などの商品を販売する自動販売機が広く知られている。このような自動販売機においては、前面が開口した自動販売機本体の内部に断熱構造を有する商品収容庫が設けられている。そして、商品収容庫の内部雰囲気を冷却もしくは加温することによって該商品収容庫の内部に収容した商品を所望の温度状態に維持するようにしている。例えば、コールド商品を販売する場合には、商品収容庫の内部を冷却装置によって５℃程度に冷却する一方、ホット商品を販売する場合には、商品収容庫の内部をヒータによって５５℃程度に加温して、利用者の選択した商品をそれぞれ最適販売温度で提供する。また、商品収容庫の前面は開口して構成してあり、当該前面開口には開閉可能な断熱扉が設けてある。
【０００３】
上述した自動販売機において、断熱扉と対峙する商品収容庫の周縁前面には、断熱扉と周縁前面との隙間を無くして商品収容庫の外部に冷気または温気が漏れることを防ぐためにパッキング部材が敷設してある。特に商品収容庫の底部の周縁には、商品収容庫の下にある機械室と商品収容庫とに渡る冷却装置の冷媒供給管が配置してある。また、商品収容庫の底部の周縁には、機械室と商品収容庫内に設けた電気部品との間に渡るケーブルが配策してある。このため、パッキング部材は、冷媒供給管の配置およびケーブルの配策に応じて設ける必要がある。
【０００４】
従来、商品収容庫の底部の周縁に設けたパッキング部材は、その上縁に断面コ字形のフック部を形成した硬質樹脂製の長尺ベース板と、ベース板の長手方向に沿ってその前面に一体形成したガスケットとからなるガスケット付き化粧枠として構成してある。そして、フック部を商品収容庫の底板の前面フランジの上縁に差し込み係合した上で、ベース板の下部を自動販売機本体に対してネジで締結する（例えば、特許文献１参照）。
【０００５】
他に、商品収容庫の底部の周縁に設けた従来のパッキング部材は、合成樹脂によって形成してあり、商品収容庫側に保持される硬質の本体部と、断熱扉に接触する弾性変形可能な軟質の弾性部とを一体に形成してなる。本体部には、上下方向に平板状に延び、その上端側に商品収容庫にネジで固定される取付片が設けてあり、下端側に斜め上方に延びるドレン受けが設けてある。また、本体部の背面側には、商品収容庫の隙間に挿入される挿入片が設けてある（例えば、特許文献２参照）。
【０００６】
【特許文献１】特開２００２−２４９３０号公報
【特許文献２】特開２００３−１３２４１５号公報
【発明の開示】
【発明が解決しようとする課題】
【０００７】
ところで、商品収容庫の底部の周縁には、断熱構造を有する商品収容庫の内外の温度差によって発生する結露水を排水するための樋部を設ける必要性がある。しかし、特許文献１に参照する発明では、樋部の構成を有していない。すなわち、特許文献１に参照する発明では、ガスケット付き化粧枠を設けた箇所に樋部を別に設けることになる。このため、冷却装置のメンテナンスを行う場合に、パッキング部材および樋部をそれぞれ脱着しなければならないため、メンテナンスの作業性が悪くなるという問題が生じる。
【０００８】
また、特許文献２に参照する発明では、パッキング部材の本体部に一体にしてドレン受け（樋部）が設けてある。しかし、特許文献２に参照する発明のパッキング部材は合成樹脂によって形成してあるため、必然として押出成形によって成形されることになる。すなわち、ドレン受けは、弾性部と共に真っ直ぐに形成される。この構成では、ドレン受けに滴下した結露水がドレン受けに溜まるだけであって当該結露水を所定箇所に排水することは困難である。
【０００９】
一方、商品収容庫の底部には、機械室と商品収容庫内に設けた電気部品との間を接続するケーブルが配策してある。しかし、パッキング部材を外した後、冷却装置のメンテナンスを行うために当該冷却装置を商品収容庫の外部に引き出す際、商品収容庫の底部に配策してあるケーブルが邪魔になり、冷却装置の引き出しを阻害するばかりでなく、ケーブル自体が断線するおそれがあった。また、自動販売機の組立の際にも、ケーブルを引っ掛けることで当該ケーブルが破断するおそれがあるため、例えば商品収容庫内に設けた商品収納ラックから商品を搬出した場合に当該商品を商品収容庫外に搬送するシュータの下面（商品収容庫の底部に対峙する面）に保護用のクッション材を設けている。
【００１０】
本発明は、上記実情に鑑みて、結露水を排水できる樋部を得て、かつ、気密性を保持するパッキング部材および樋部の着脱を容易に行うことができ、またパッキング部材および樋部を外した後の商品収容庫内の構成部品のメンテナンス作業を容易に行うことができる自動販売機を提供することを目的とする。
【課題を解決するための手段】
【００１１】
上記の目的を達成するために、本発明の請求項１に係る自動販売機は、断熱構造を有して前面に開口した商品収容庫と、当該商品収容庫の前面開口を開閉可能に設けた断熱扉と、前記商品収容庫の底部前縁に沿って設けてあって前記断熱扉と対峙する化粧枠とを有し、前記商品収容庫内に商品を収容するようにした自動販売機において、前記化粧枠は、前記商品収容庫の内外の温度差により発生した結露水を導く態様で前記商品収容庫の底部前縁に沿いつつ下向きに傾斜した樋部を有する固定部材と、前記商品収容庫の底部前縁に沿って配置してあって前記断熱扉に当接して気密性を保持する弾性部を有したパッキング部材とを１つに係合してなり、前記固定部材および前記パッキング部材を１つに係合した化粧枠を、前記商品収容庫の底部前縁に形成したフック部に対して係止して取り付けることを特徴とする。
【００１２】
本発明の請求項２に係る自動販売機は、上記請求項１において、前記化粧枠は、前記固定部材に折り曲げ可能な係合片を設け、前記パッキング部材に前記係合片を挿通する挿通孔を設けて、前記係合片を前記挿通孔に挿通しつつ折り曲げることで前記固定部材および前記パッキング部材を１つに係合することを特徴とする。
【００１３】
本発明の請求項３に係る自動販売機は、断熱構造を有した商品収容庫内に商品を収容するようにした自動販売機において、前記商品収容庫の底部に配策した電気ケーブルを覆うカバー部材を設けたことを特徴とする。
【発明の効果】
【００１４】
本発明に係る自動販売機は、商品収容庫の底部の前縁に沿いつつ傾斜した樋部を有する固定部材と、商品収容庫の底部の前縁に沿って配置してあって断熱扉に当接して気密性を保持するパッキング部材とを１つに係合した化粧枠を備えている。このため、断熱構造を有する商品収容庫の内外の温度差によって発生する結露水を傾斜によって流して排水する樋部を得ることができる。しかも、化粧枠は、固定部材およびパッキング部材を１つに係合した後、商品収容庫の底部の前縁に形成したフック部に対して係止して取り付けられる。このため、化粧枠を商品収容庫に対して止める固定手段を少なくでき、化粧枠を商品収容庫の底部の前縁に対して容易に取り付け、かつ、容易に取り外すことができる。この結果、商品収容庫内の構成部品のメンテナンス作業を容易に行うことができる。
【００１５】
本発明に係る自動販売機は、商品収容庫の底部に配策した電気ケーブルを覆うカバー部材を設けたことによって、商品収容庫内の構成部品のメンテナンスを行う際に電気ケーブルが邪魔になることがないため、メンテナンス作業を容易に行うことができ、かつ、電気ケーブルを保護することができる。
【発明を実施するための最良の形態】
【００１６】
以下に添付図面を参照して、本発明に係る自動販売機の好適な実施の形態を詳細に説明する。なお、この実施の形態によりこの発明が限定されるものではない。
【００１７】
図１は本発明に係る自動販売機を示した正面図、図２は図１に示した自動販売機の内部を開放した状態の斜視図、図３は図１に示した自動販売機の断面側面図である。
【００１８】
ここで例示する自動販売機は、缶入り飲料やビン入り飲料、あるいはペットボトル飲料などの商品を販売するためのもので、図１〜図３に示すように自動販売機本体１、外扉２および断熱扉３を備えている。
【００１９】
自動販売機本体１は、複数の鋼板を適宜組み合わせることによって構成したもので、前面が開口した直方状を成している。この自動販売機本体１の内部には、図２に示すように商品収容庫４が設けてある。商品収容庫４は、断熱構造としてあり複数（本実施の形態では３つ）の独立した収容庫４ａ，４ｂ，４ｃが並設してある。
【００２０】
商品収容庫４は、商品を所望の温度に維持した状態で収容するためのもので、前面に開口を有している。収容庫４ａ，４ｂ，４ｃのそれぞれの上方部には、コラム状の商品収納ラック６が配設してある。各商品収納ラック６は、上部の商品投入口６ａから投入された商品を上下方向に積み上げて収納し、最下位置の商品を１つずつ払い出す。本実施の形態における商品収納ラック６は、略筒形で強度の高い容器の商品の収納に適したサーペンタイン方式のものを採用している。サーペンタイン方式の商品収納ラック６は、上から順にトップトレイ６２、商品収納通路６３、ベンドメック６４を有している。
【００２１】
トップトレイ６２は、商品収容庫４の前面開口から奥側に向けて漸次低くなるように傾斜して配設した板状部材であって、上下方向に複数並設してあり、上下方向に隣接した相互間に商品投入口６ａが画成してある。商品投入口６ａから投入された商品は、横倒し姿勢の状態でトップトレイ６２上を手前側から奥側に搬送される。
【００２２】
商品収納通路６３は、トップトレイ６２から横倒し姿勢で搬送された商品を消勢するとともに、内部に商品を収納するものであって、手前側と奥側とに湾曲形状のセグメントを互いに対向するように適宜連接することによって、上下方向に沿って蛇行するように延設してある。なお、本実施の形態では、商品収納通路６３は、商品収容庫４の前側から奥側に６つ設けた６連の形態としてある。
【００２３】
ベンドメック６４は、商品の販売を制御するものであり、各商品収納通路６３の下部出口にそれぞれ取り付けてある。そして、商品収納通路を通過して一番下まで到達（落下）した商品はベンドメックで留まり、次の商品がその上に積み上げられて、商品収納通路６３内に次々と収納されていくことになる。図には明示しないがベンドメック６４は、上下一対のペダル、ベンドソレノイド、およびリンク機構により構成してある。下ペダルは、商品収納通路６３内の最下位置の商品を留める一方、当該最下位置の商品を払い出す。上ペダルは、下から２番目の商品を留める一方、当該２番目の商品を払い出す。リンク機構は、ベンドソレノイドと上下ペダルとの間に設けてあってベンドソレノイドの駆動を上下ペダルに伝達する。すなわち、ベンドソレノイドに電力が供給されることによって、下ペダルが最下位置の商品を払い出すとともに、上ペダルが下から２番目の商品を留めることで、１つの商品の払い出しが行われる。ベンドソレノイドへの電力の供給が止まると、上ペダルが留めていた商品を払い出すとともに、下ペダルが当該商品を留める。また、図には明示しないがベンドメック６４には、売り切れ検出センサが設けてある。売り切れ検出センサは、例えば商品の有無によってＯＮ／ＯＦＦするスイッチなどからなり、ベンドメック６４で留める商品が無くなったとき（すなわち商品収納通路６３に商品が無くなったとき）の売り切れ信号を出力する。
【００２４】
商品収容庫４（４ａ，４ｂ，４ｃ）の内部であって、各商品収納ラック６の下側には、商品収納ラック６から払い出された商品を商品収容庫４の前方に搬出するシュータ７が設けてある。このシュータ７には、後述する冷却装置によって冷却された空気や、加温装置によって加温された空気を通過させる通気孔７ａが設けてある。また、図３に示すように各商品収納ラック６の後側には、ダクト８が設けてある。ダクト８は、シュータ７の上方域で商品収容庫４内の商品を冷却または加温した空気を後述の熱交換器へ搬送するための搬送通路である。
【００２５】
商品収容庫４の底部であってシュータ７によって区画される下方域には、熱交換器が配設してある。例えば図２に示すように正面向かって左側に位置する収容庫４ａが冷却専用としてある場合には、図３に示すように熱交換器として冷却装置の蒸発器１１１、並びに庫内ファン１２０や庫内ファン用モータ１２１を備える。これに対して例えば中央に位置する収容庫４ｂ、および正面向かって右側に位置する収容庫４ｃが冷却／加温切り換え可能としてある場合には、図３に示すように熱交換器として冷却装置の蒸発器１１１、並びに庫内ファン１２０や庫内ファン用モータ１２１に加えて商品収容庫４内を加温する加温装置であるヒータ１２２を備える。
【００２６】
上記商品収容庫４（４ａ，４ｂ，４ｃ）の下方となる位置には、機械室５が設けてある。機械室５は、上述した収容庫４ａ，４ｂ，４ｃで共通に使用する機械部品を収容するためのものである。具体的には、圧縮機１１２、凝縮器１１３、膨張器１１４といった冷却装置の構成部品、並びに庫外ファン１２３や庫外ファン用モータ１２４を配設してある。また、膨張器１１４から分岐して各収容庫４ａ，４ｂ，４ｃに配設したそれぞれの蒸発器１１１に至る冷媒供給管１１６には、駆動する蒸発器１１１を選択するための電磁バルブ１１５が個別に設けてある。
【００２７】
上記冷却装置は、圧縮機１１２の稼働によって蒸発器１１１から冷媒を吸引して圧縮し凝縮器１１３に送る。凝縮器１１３に送られた冷媒は、放熱されて液化して膨張器１１４に至る。膨張器１１４において冷媒は、減圧され蒸発温度および流量を制御されて蒸発器１１１に至る。蒸発器１１１に供給された冷媒は、吸熱して加熱蒸気として気化される。この冷媒の吸熱によって蒸発器１１１の周辺空気が冷却されることになる。そして、冷媒は、蒸発器１１１から圧縮機１１２に吸引されて帰還して循環する。
【００２８】
そして、庫内ファン１２０を稼働することによって蒸発器１１１の周辺の冷却された空気がシュータ７の下方域から通気孔７ａを通してシュータ７の上方域に送られる。このため、商品収容庫４の内部が冷却され、商品収納ラック６に収納された商品が冷却される。
【００２９】
上記加温装置は、ヒータ１２２に電圧が印加されることによってヒータ１２２が加熱されてその周辺空気が加温される。そして、庫内ファン１２０を稼働することによって蒸発器１１１の周辺の加温された空気がシュータ７の下方域から通気孔７ａを通してシュータ７の上方域に送られる。このため、商品収容庫４の内部が加温され、商品収納ラック６に収納された商品が加温される。また、庫内ファン１２０を稼働することによって、シュータ７の上方域にある空気がダクト８を介してシュータ７の下方域に送られる。
【００３０】
自動販売機の外扉２は、自動販売機本体１の前面開口を覆うに十分な大きさを有したもので、鋼材により堅牢に構成してあり、自動販売機本体１の一側縁部に支承してある。この外扉２には、図１に示すように前面（外面）側にディスプレイウィンド２０１、選択ボタン２０２、硬貨投入口２０３、紙幣挿入口２０４、表示器２０５、硬貨返却口２０６、商品取出口２０７が設けてある。ディスプレイウィンド２０１は、外扉２の内部に配置した商品見本２０１ａおよび電照板２０１ｂを利用者に視認させるための窓である。一方、図２に示すように外扉２の背面（内面）側には、硬貨処理機２１１、硬貨回収箱２１２、紙幣処理機２１３、ディスプレイドア２１４、メインコントロールボックス２１５が設けてある。ディスプレイドア２１４は、商品見本２０１ａおよび電照板２０１ｂを配置するためのものである。
【００３１】
自動販売機の断熱扉３は、自動販売機本体１に設けた商品収容庫４（４ａ，４ｂ，４ｃ）の前面の開口を覆うに十分な大きさを有したもので、鋼材によって断熱性を備えて構成してある。図示の例では、図２に示すように断熱扉３を上下３Ａ，３Ｂに分割してそれぞれを個別に開閉できるようにしてある。この断熱扉３（３Ａ，３Ｂ）は、商品収容庫４の前面開口を密閉状態に閉塞することによって商品収容庫４内を外部から断熱する。
【００３２】
上側の断熱扉３Ａは、外扉２の内面側に取り付けてあり、当該外扉２とともに開閉する。この断熱扉３Ａは、外扉２の閉塞に伴って商品収納ラック６の商品投入口６ａであって商品収容庫４の前面開口の上部領域を閉塞し、外扉２の開放に伴って商品収納ラック６の商品投入口６ａであって商品収容庫４の前面開口の上部領域を開放する。そして、断熱扉３Ａによって商品収納ラック６の商品投入口６ａを開放したときには、商品投入口６ａからの商品の補充作業を行うことができる。
【００３３】
下側の断熱扉３Ｂは、一側端がヒンジを介して自動販売機本体１側に取り付けられ、他側端が商品収容庫４の前面の開口に対して開閉移動する開閉端をなす片開き式として構成してある。この断熱扉３Ｂは、その閉塞時に商品収容庫４の前面開口の下部領域を閉塞する（閉扉状態）。また断熱扉３Ｂは、その開放時に商品収容庫４の前面開口の下部領域を開放する（開扉状態）。また、断熱扉３Ｂには、シュータ７で搬出された商品を外扉２の商品取出口２０７に送出するための商品送出口３Ｂａが各収容庫４ａ，４ｂ，４ｃに対応して設けてある。そして、断熱扉３Ｂによって商品収容庫４の前面開口を開放したときには、例えば商品収納ラック６や冷却装置または加温装置のメンテナンス、あるいは商品収容庫４内の部品の交換などの作業を行うことができる。このように、断熱扉３Ｂは、断熱扉３Ａとともに商品収容庫４の前面開口を開閉する。なお、本実施の形態では、断熱扉３を上下の断熱扉３Ａ，３Ｂに分割した構成を一例としているが、上下の断熱扉３Ａ，３Ｂに分割しない一つの断熱扉３を断熱扉３Ｂのように片開き式として構成して商品収容庫４の前面開口を開閉する形態としてあってもよい。
【００３４】
図４は図１に示した自動販売機の商品収容庫を示す斜視図、図５は商品収容庫の底部前縁部分を示す断面図である。上記構成の自動販売機において、図４に示すように商品収容庫４の底部の前縁４０には、商品収容庫４の幅（左右）方向に沿って配置してあって断熱扉３（３Ｂ）と対峙する化粧枠９が設けてある。
【００３５】
図５に示すように商品収容庫４の底部は、商品収容庫４と機械室５との間の隔壁を構成している。この隔壁は、商品収容庫４の底板となる上板４１と、機械室５の天板となる下板４２との間に断熱材４３を介在してなる。そして、隔壁の前端には、商品収容庫４の底部の前縁４０を構成する取付金４４が設けてある。取付金４４は、断面が上向きに開口するほぼコ字形に形成してあって、商品収容庫４の幅（左右）方向に沿って長尺に形成してある。この取付金４４は、コ字形の内部に断熱材４３を詰めてあり、コ字形の開口する一側片を下板４２に固定して、他側片を上板４１と下板４２との間に介在した断熱材４３に当接してある。また、取付金４４の他側片は、商品収容庫４の底部の前縁４０をなし、前側上方に向けて延出するフック部４４１を有している。このフック部４４１に化粧枠９が係止される。化粧枠９は、パッキング部材９１と固定部材９２とを有してなる。また、図５に示すように取付金４４には、切欠部４４２が設けてある。切欠部４４２は、冷却装置の蒸発器１１１から機械室５に繋がる冷媒供給管１１６や、商品収容庫４内の電機部品（庫内ファン用モータ１２１、ヒータ１２２、ベンドメック６４など）に電力や信号を送受する電気ケーブル１１７を機械室５と商品収容庫４とに渡らせるためのものである。
【００３６】
図６は化粧枠のパッキング部材を示す側面図、図７はパッキング部材の正面図、図８はパッキング部材の斜視図、図９は化粧枠の固定部材を示す側面図、図１０は固定部材の正面図、図１１は固定部材の斜視図、図１２は化粧枠の組立斜視図である。
【００３７】
図６〜図８に示すように化粧枠９のパッキング部材９１は、合成樹脂材の押出成形によって成形してあって、パッキング基部９１１と弾性部９１２とを有している。パッキング基部９１１は、商品収容庫４の底部の前縁４０の幅方向に沿うように長尺の板体として形成してある。このパッキング基部９１１は、比較的硬質な合成樹脂材を主に形成してあり、図６に示す斜線部分のように、その下端部と背面側に突出する複数（３つ）のヒレ部が比較的軟質な合成樹脂材によって形成してある。この比較的軟質な合成樹脂材によって形成した部分は、図５に示すように商品収容庫４の底部の前縁４０をなす取付金４４などに当接して変形することによって気密性を保持し、断熱材４３の隙間などからの冷気または温気の漏れを防止する。また、図７および図８に示すように、パッキング基部９１１には、長手方向の両端部近傍にスリット状に貫通した挿通孔９１１ａが少なくとも２箇所に設けてある。さらに、パッキング基部９１１には、長手方向の両端部近傍に矩形状に貫通した係止孔９１１ｂが少なくとも２箇所に設けてある。
【００３８】
弾性部９１２は、パッキング基部９１１の前面のほぼ中央にて商品収容庫４の底部の前縁４０の幅方向に沿うように長尺の異形筒体として形成してある。この弾性部９１２は、比較的軟質な合成樹脂材によって形成してある。この弾性部９１２は、商品収容庫４の前面開口を閉じる断熱扉３（３Ｂ）に当接して変形することによって気密性を保持し、断熱扉３（３Ｂ）の隙間などからの冷気または温気の漏れを防止する。また、弾性部９１２の筒内には、図６に示すように同じく比較的軟質な合成樹脂材によって形成した梁部９１２ａが径方向に渡って設けてある。この梁部９１２ａは、断熱扉３（３Ｂ）を開けた際に、変形した弾性部９１２を元の形状に戻すように作用する。
【００３９】
図９〜図１１に示すように化粧枠９の固定部材９２は、板金の折り曲げによって成形してあって、固定基部９２１と樋部９２２とを有している。固定基部９２１は、商品収容庫４の底部の前縁４０の幅方向に沿うように長尺の板体として形成してある。図１０および図１１に示すように、固定基部９２１には、長手方向の両端部近傍において背面側に折曲して延出した係合片９２１ａが少なくとも２箇所に設けてある。さらに、固定基部９２１には、長手方向の両端部近傍に矩形状に貫通した係止孔９２１ｂが少なくとも２箇所に設けてある。
【００４０】
樋部９２２は、固定基部９２１の下端部にて商品収容庫４の底部の前縁４０の幅方向に沿うように長尺に形成してある。樋部９２２は、斜め前方上部に折曲して形成してあり、かつ、商品収容庫４の底部の前縁４０に沿いつつ下向きに傾斜して形成してある。本実施の形態での樋部９２２は、図１０および図１１に示すように左側から右側に向けて下向きに傾斜して形成してある。また、樋部９２２の下向きに傾斜した右端部には、落水孔９２２ａが形成してある。すなわち、樋部９２２は、断熱構造を有する商品収容庫４の内外の温度差によって発生する結露水を傾斜によって流し、かつ落水孔９２２ａによって所定箇所に排水する。
【００４１】
上記化粧枠９は、パッキング部材９１および固定部材９２を１つに係合した後、商品収容庫４の底部の前縁４０であって取付金４４のフック部４４１に係止される。パッキング部材９１および固定部材９２を１つに係合するには、図１２に示すようにパッキング部材９１のパッキング基部９１１に設けた挿通孔９１１ａに対して、固定部材９２の固定基部９２１に設けた係合片９２１ａを挿通し、かつ、当該係合片９２１ａを折り曲げる。このようにしてパッキング部材９１および固定部材９２を１つにした化粧枠９は、係止孔９１１ｂ，９２１ｂを取付金４４のフック部４４１に係止し、さらに、例えばネジなどの固定手段（図示せず）で固定部材９２およびパッキング部材９１を取付金４４に共締めすることで、化粧枠９が商品収容庫４の底部の前縁４０に対して取り付けられる。固定手段は、各２箇所の係止孔９１１ｂ，９２１ｂをフック部４４１に係止しているので、化粧枠９の中央部を１箇所で止めればよい。このように商品収容庫４の底部の前縁４０に対して取り付けた化粧枠９は、取付金４４に設けた切欠部４４２を閉塞して冷媒供給管１１６および電気ケーブル１１７を跨ぐ。
【００４２】
したがって、上述した自動販売機では、商品収容庫４の底部の前縁４０に沿いつつ下向きに傾斜した樋部９２２を有する固定部材９２と、商品収容庫４の底部の前縁４０に沿って配置してあって断熱扉３（３Ｂ）に当接して気密性を保持するパッキング部材９１とを１つに係合した化粧枠９を備えている。このため、断熱構造を有する商品収容庫４の内外の温度差によって発生する結露水を傾斜によって流して排水する樋部９２２を得ることができる。しかも、化粧枠９は、固定部材９２およびパッキング部材９１を１つに係合した後、商品収容庫４の底部の前縁４０に形成したフック部４４１に対して係止して取り付けられる。このため、化粧枠９を商品収容庫４に対して止める固定手段を１箇所にでき、化粧枠９を商品収容庫４の底部の前縁４０に対して容易に取り付け、かつ、容易に取り外すことが可能になる。この結果、例えば図１３に示すように、冷却装置の蒸発器１１１を商品収容庫４から外す場合に、冷媒供給管１１６を跨ぐ化粧枠９が容易に外せることでメンテナンス作業を容易に行える。
【００４３】
ところで、図４に示すように商品収容庫４の底部には、当該底部に配策した電気ケーブル１１７を覆うカバー部材１０が設けてある。本実施の形態において、電気ケーブル１１７は収容庫４ａ，４ｂの前縁４０に沿って配策してあり、収容庫４ｃでは奥方に配策してある。そして、カバー部材１０は、前縁４０に沿って配策した電気ケーブル１１７を覆うようにして収容庫４ａ，４ｂの前縁近傍に設けてある。このカバー部材１０は、図４に示すように蒸発器１１１の前方の位置にネジなどの固定手段（図示せず）によって固定してある。また、カバー部材１０は、図１３に示すように商品収容庫４の前側および奥側に向く傾斜部１０１を有している。
【００４４】
したがって、カバー部材１０は、図１３に示すように化粧枠９を外して、冷却装置のメンテナンスを行うために蒸発器１１１を商品収容庫４から外す場合に、傾斜部１０１によって蒸発器１１１を電気ケーブル１１７に触れることなく乗り越えさせることになる。この結果、電気ケーブル１１７が邪魔になることがなく、メンテナンス作業を容易に行うことが可能になり、かつ、電気ケーブル１１７を保護することが可能になる。また、自動販売機の組立の際、電気ケーブル１１７を引っ掛けて当該電気ケーブル１１７が破断するおそれがある。このため、従前では、シュータ７の下面（商品収容庫４の底部に対峙する面）に保護用のクッション材を設けている。しかし、上述した自動販売機では、カバー部材１０が電気ケーブル１１７を覆っているため、自動販売機の組立の際に電気ケーブル１１７を引っ掛ける事態を防ぐことが可能になる。この結果、保護用のクッション材が不要となる。
【図面の簡単な説明】
【００４５】
【図１】本発明に係る自動販売機を示した正面図である。
【図２】図１に示した自動販売機の内部を開放した状態の斜視図である。
【図３】図１に示した自動販売機の断面側面図である。
【図４】図１に示した自動販売機の商品収容庫を示す斜視図である。
【図５】商品収容庫の底部前縁部分を示す断面図である。
【図６】化粧枠のパッキング部材を示す側面図である。
【図７】パッキング部材の正面図である。
【図８】パッキング部材の斜視図である。
【図９】化粧枠の固定部材を示す側面図である。
【図１０】固定部材の正面図である。
【図１１】固定部材の斜視図である。
【図１２】化粧枠の組立斜視図である。
【図１３】蒸発器を外した形態の商品収容庫の断面図である。
【符号の説明】
【００４６】
１    自動販売機本体
３（３Ａ，３Ｂ）    断熱扉
４（４ａ，４ｂ，４ｃ）    商品収容庫
５    機械室
７    シュータ
７ａ    通気孔
８    ダクト
９    化粧枠
９１    パッキング部材
９１１    パッキング基部
９１１ａ    挿通孔
９１１ｂ    係止孔
９１２    弾性部
９１２ａ    梁部
９２    固定部材
９２１    固定基部
９２１ａ    係合片
９２１ｂ    係止孔
９２２    樋部
９２２ａ    落水孔
１０    カバー部材
１０１    傾斜部
４０    前縁
４１    上板
４２    下板
４３    断熱材
４４    取付金
４４１    フック部
４４２    切欠部
１１１    蒸発器
１１２    圧縮機
１１３    凝縮器
１１４    膨張器
１１５    電磁バルブ
１１６    冷媒供給管
１１７    電気ケーブル
１２０    庫内ファン
１２１    庫内ファン用モータ
１２２    ヒータ
１２３    庫外ファン
１２４    庫外ファン用モータ
【図１】
2007034832.tif 000003
【図２】
2007034832.tif 000004
【図３】
2007034832.tif 000005
【図４】
2007034832.tif 000006
【図５】
2007034832.tif 000007
【図６】
2007034832.tif 000008
【図７】
2007034832.tif 000009
【図８】
2007034832.tif 000010
【図９】
2007034832.tif 000011
【図１０】
2007034832.tif 000012
【図１１】
2007034832.tif 000013
【図１２】
2007034832.tif 000014
【図１３】
2007034832.tif 000015